(57)【要約】  本発明の目的は、操作の結果の視認性の低下を防ぎながら操作面（Ｓ）の自由度を高める操作ボタン（１３）および操作盤を提供することである。操作ボタン（１３）は、ボタンユニット（２４）と、ボタンキャップ（２５）と、アダプター（２６）と、を備える。ボタンユニット（２４）は、可視光を発する第１発光素子（３３）を前面の第１範囲（Ｒ１）に有する。ボタンユニット（２４）は、利用者の操作を検出する。ボタンキャップ（２５）は、可視光を透過させる。ボタンキャップ（２５）は、前面に操作面（Ｓ）を有する。アダプター（２６）は、ボタンユニット（２４）の前面に取り付けられる。ボタンキャップ（２５）は、アダプター（２６）の前面に取り付けられる。アダプター（２６）は、可視光を発する第２発光素子（３６）を前面の第１範囲（Ｒ１）の外側に有する。
2020084743.tif 000002
【特許請求の範囲】
【請求項１】
可視光を発する第１発光素子を前面の第１範囲に有し、利用者の操作を検出するボタンユニットと、
可視光を透過させ、前面に操作面を有するボタンキャップと、
前記ボタンユニットの前面に取り付けられ、前記ボタンキャップが前面に取り付けられ、可視光を発する第２発光素子を前面の前記第１範囲の外側に有するアダプターと、
を備えるエレベーターの操作ボタン。
【請求項２】
前記アダプターは、前記第２発光素子を前記ボタンユニットの外周より外側に有する
請求項１に記載のエレベーターの操作ボタン。
【請求項３】
前記ボタンユニットは、
前記操作面に連動して前後に変位する変位部と、
前記変位部の変位によって前記利用者の操作を検出する検出部と、
を備える
請求項１または請求項２に記載のエレベーターの操作ボタン。
【請求項４】
前記アダプターは、前記変位部に連動して前後に変位する
請求項３に記載のエレベーターの操作ボタン。
【請求項５】
前記ボタンユニットは、前記第１発光素子を発光させる電力を電力供給部から供給する第１電線を備え、
前記アダプターは、前記第２発光素子を発光させる電力を前記電力供給部から供給する第２電線を備え、
前記第１電線および前記第２電線は、合流して前記電力供給部に接続される
請求項１から請求項４のいずれか一項に記載のエレベーターの操作ボタン。
【請求項６】
前記ボタンユニットは、前記第１発光素子を発光させる電力を電力供給部から供給する第１電線を備え、
前記アダプターは、前記第２発光素子を発光させる電力を前記電力供給部から供給する第２電線を備え、
前記第１電線および前記第２電線は、互いに独立に前記電力供給部に接続される
請求項１から請求項４のいずれか一項に記載のエレベーターの操作ボタン。
【請求項７】
複数の操作ボタン
を備え、
前記複数の操作ボタンの各々は、
可視光を発する第１発光素子を前面の第１範囲に有し、利用者の操作を検出するボタンユニットと、
可視光を透過させ、前面に操作面を有するボタンキャップと、
前記ボタンユニットの前面に取り付けられ、前記ボタンキャップが前面に取り付けられ、可視光を発する第２発光素子を前面の前記第１範囲の外側に有するアダプターと、
を備える
エレベーターの操作盤。
【請求項８】
前記複数の操作ボタンの各々の前記ボタンユニットは、互いに同一の種類の部品であり、
前記複数の操作ボタンのうちの少なくともいずれかの組合せの前記アダプターは、互いに異なる種類の部品である
請求項７に記載のエレベーターの操作盤。
【請求項９】
前記複数の操作ボタンの少なくともいずれかが、当該操作ボタンの対応する行先階への呼びの登録の操作を検出する行先階ボタンである場合において、前記行先階が利用可能であるときに当該行先階に対応する前記操作ボタンの前記第１発光素子または前記第２発光素子の一方に電力を供給して発光させ、前記行先階への呼びが登録されているときに当該行先階に対応する前記操作ボタンの第１発光素子または第２発光素子の両方に電力を供給して発光させる電力供給部
を備える請求項７または請求項８に記載のエレベーターの操作盤。
【発明の詳細な説明】
【技術分野】
【０００１】
本発明は、エレベーターの操作ボタンおよびエレベーターの操作盤に関する。
【背景技術】
【０００２】
特許文献１にエレベーターの操作ボタンの例が記載されている。操作ボタンは、光反射器を備える。光反射器は、ＬＥＤ（Ｌｉｇｈｔ  Ｅｍｉｔｔｉｎｇ  Ｄｉｏｄｅ）が発した可視光を前面の操作面に誘導する。
【先行技術文献】
【特許文献】
【０００３】
【特許文献１】日本特開平６−２９０６６９号公報
【発明の概要】
【発明が解決しようとする課題】
【０００４】
しかしながら、特許文献１に記載の操作ボタンは、ＬＥＤが発した可視光の反射によって操作面を照らす。このため、操作面の面積が広くなると、操作面の明るさが低下する。したがって、操作ボタンを操作した結果の視認性が低下する。【０００５】
本発明は、このような課題を解決するためになされた。本発明の目的は、操作の結果の視認性の低下を防ぎながら操作面の自由度を高める操作ボタンおよび操作盤を提供することである。
【課題を解決するための手段】
【０００６】
本発明に係るエレベーターの操作ボタンは、可視光を発する第１発光素子を前面の第１範囲に有し、利用者の操作を検出するボタンユニットと、可視光を透過させ、前面に操作面を有するボタンキャップと、ボタンユニットの前面に取り付けられ、ボタンキャップが前面に取り付けられ、可視光を発する第２発光素子を前面の第１範囲の外側に有するアダプターと、を備える。【０００７】
本発明に係るエレベーターの操作盤は、複数の操作ボタンを備え、複数の操作ボタンの各々は、可視光を発する第１発光素子を前面の第１範囲に有し、利用者の操作を検出するボタンユニットと、可視光を透過させ、前面に操作面を有するボタンキャップと、ボタンユニットの前面に取り付けられ、ボタンキャップが前面に取り付けられ、可視光を発する第２発光素子を前面の第１範囲の外側に有するアダプターと、を備える。
【発明の効果】
【０００８】
これらの発明によれば、操作ボタンは、ボタンユニットと、ボタンキャップと、アダプターと、を備える。ボタンユニットは、可視光を発する第１発光素子を前面の第１範囲に有する。ボタンユニットは、利用者の操作を検出する。ボタンキャップは、可視光を透過させる。ボタンキャップは、前面に操作面を有する。アダプターは、ボタンユニットの前面に取り付けられる。アダプターは、ボタンキャップが前面に取り付けられる。アダプターは、可視光を発する第２発光素子を前面の第１範囲の外側に有する。これにより、操作の結果の視認性の低下を防ぎながら操作面の自由度が高められる。
【図面の簡単な説明】
【０００９】
【図１】実施の形態１に係るエレベーターの構成図である。
【図２】実施の形態１に係る乗場操作盤の正面図である。
【図３】実施の形態１に係るかご操作盤の正面図である。
【図４】実施の形態１に係る操作ボタンの分解斜視図である。
【図５】実施の形態１に係る操作ボタンの分解斜視図である。
【発明を実施するための形態】
【００１０】
本発明を実施するための形態について添付の図面を参照しながら説明する。各図において、同一または相当する部分には同一の符号を付して、重複する説明は適宜に簡略化または省略する。
【００１１】
実施の形態１．
図１は、実施の形態１に係るエレベーターの構成図である。
【００１２】
エレベーター１は、建築物に設けられる。建築物は、複数の階を有する。エレベーター１において、昇降路２は、建築物の各階を貫く。エレベーター１において、複数の乗場３の各々は、建築物の複数の階の各々に設けられる。複数の乗場３の各々は、昇降路２に対向する。エレベーター１において、複数の乗場扉４の各々は、複数の乗場３の各々に設けられる。エレベーター１は、巻上機５と、主ロープ６と、かご７と、釣合い重り８と、複数の乗場操作盤９と、制御盤１０と、を備える。
【００１３】
巻上機５は、例えば昇降路２の上部に設けられる。巻上機５は、図示されないモーターと、シーブと、を備える。巻上機５のモーターは、シーブを回転させる装置である。
【００１４】
主ロープ６は、巻上機５のシーブの回転に追従して移動しうるように、巻上機５のシーブに巻きかけられる。主ロープ６の一端は、例えばかご７に取り付けられる。主ロープ６の他端は、例えば釣合い重り８に取り付けられる。
【００１５】
かご７は、主ロープ６の移動に追従して鉛直方向に走行することにより、建築物の複数の階の間で利用者を輸送する装置である。かご７は、昇降路２の内部に設けられる。かご７は、かご扉１１と、かご操作盤１２と、を備える。かご扉１１は、かご７が建築物の複数の階のいずれかに停止しているときに開閉する装置である。かご扉１１は、乗場扉４を連動して開閉させる機構を備える。かご操作盤１２は、かご７に乗車している利用者の操作を受け付ける装置である。かご操作盤１２は、例えばかご７の内側の側面に設けられる。かご操作盤１２は、エレベーターの操作盤の例である。エレベーターの操作盤は、複数の操作ボタン１３を備える。操作ボタン１３は、利用者の操作を受け付ける装置である。
【００１６】
釣合い重り８は、主ロープ６を通じて巻上機５のシーブの両側にかかる荷重のかご７との釣合いを取る装置である。釣合い重り８は、昇降路２の内部に設けられる。
【００１７】
複数の乗場操作盤９の各々は、複数の乗場３の各々に設けられる。複数の乗場操作盤９の各々は、当該乗場操作盤９が設けられる乗場３において利用者の操作を受け付ける装置である。複数の乗場操作盤９の各々は、例えば当該乗場操作盤９が設けられる乗場３の壁面に設けられる。複数の乗場操作盤９の各々は、エレベーターの操作盤の例である。
【００１８】
制御盤１０は、エレベーター１の動作を制御する装置である。エレベーター１の動作は、例えばかご７の走行を含む。制御盤１０は、例えば昇降路２の上部に設けられる。制御盤１０は、利用者の操作の情報を取得しうるように、かご操作盤１２および複数の乗場操作盤９の各々に接続される。制御盤１０は、取得した利用者の操作の情報に基づいてかご７の走行を制御しうるように、巻上機５に接続される。
【００１９】
続いて、図２を用いて、乗場操作盤９の構成を説明する。
図２は、実施の形態１に係る乗場操作盤の正面図である。
【００２０】
乗場操作盤９は、フェースプレート１４と、図示されない取付け板と、インジケーター１５と、一対の乗場呼びボタン１６と、一対の車椅子乗場呼びボタン１７と、ボタン制御部１８と、を備える。
【００２１】
フェースプレート１４は、乗場操作盤９の前面をなす板である。フェースプレート１４は、複数の穴を有する。取付け板は、フェースプレート１４より後方に設けられる板である。取付け板は、フェースプレート１４の後面に対向する。
【００２２】
インジケーター１５は、エレベーター１の状態を表示する装置である。エレベーター１の状態は、例えば現在のかご７の走行方向、または現在のかご７の位置に対応する階数などである。インジケーター１５は、例えば液晶ディスプレイである。インジケーター１５は、例えば乗場操作盤９の上端に設けられる。インジケーター１５は、フェースプレート１４の穴から前面に露出する。
【００２３】
一対の乗場呼びボタン１６の各々は、利用者による乗場呼びの登録の操作を受け付けるボタンである。一対の乗場呼びボタン１６の各々は、例えば矩形状の押しボタンである。一対の乗場呼びボタン１６の各々は、取付け板に取り付けられる。一対の乗場呼びボタン１６の各々は、フェースプレート１４の穴から前面に露出する。一対の乗場呼びボタン１６の各々は、操作ボタン１３の例である。
【００２４】
一対の乗場呼びボタン１６の一方は、上昇ボタンである。一対の乗場呼びボタン１６の他方は、下降ボタンである。上昇ボタンは、乗場操作盤９が設けられる階より上方の階への乗場呼びの登録の操作を受け付けるボタンである。下降ボタンは、乗場操作盤９が設けられる階より下方の階への乗場呼びの登録の操作を受け付けるボタンである。乗場操作盤９は、上昇ボタンまたは下降ボタンのいずれか一方のみの乗場呼びボタン１６を備えてもよい。
【００２５】
一対の車椅子乗場呼びボタン１７の各々は、例えば車椅子を使用する利用者による乗場呼びの登録の操作を受け付けるボタンである。一対の車椅子乗場呼びボタン１７の各々は、例えば矩形状の押しボタンである。一対の車椅子乗場呼びボタン１７の各々は、取付け板に取り付けられる。一対の車椅子乗場呼びボタン１７の各々は、フェースプレート１４の穴から前面に露出する。一対の車椅子乗場呼びボタン１７の各々は、例えば乗場操作盤９の下端に設けられる。一対の車椅子乗場呼びボタン１７の各々は、操作ボタン１３の例である。
【００２６】
一対の車椅子乗場呼びボタン１７の一方は、上昇ボタンである。一対の車椅子乗場呼びボタン１７の他方は、下降ボタンである。乗場操作盤９は、上昇ボタンまたは下降ボタンのいずれか一方のみの車椅子乗場呼びボタン１７を備えてもよい。乗場操作盤９は、車椅子乗場呼びボタン１７を備えなくてもよい。
【００２７】
ボタン制御部１８は、乗場操作盤９の複数の操作ボタン１３の各々が受け付けた利用者の操作の情報を取得する部分である。ボタン制御部１８は、フェースプレート１４より後方に設けられる。ボタン制御部１８は、複数の操作ボタン１３の各々に電力を供給する出力基板を備える。ボタン制御部１８は、電力供給部の例である。
【００２８】
続いて、図３を用いて、かご操作盤１２の構成を説明する。
図３は、実施の形態１に係るかご操作盤の正面図である。
【００２９】
かご操作盤１２は、フェースプレート１４と、図示されない取付け板と、インジケーター１５と、複数の行先階ボタン１９と、扉開ボタン２０と、扉閉ボタン２１と、通話ボタン２２と、非常ボタン２３と、ボタン制御部１８と、を備える。
【００３０】
フェースプレート１４は、乗場操作盤９の前面をなす板である。フェースプレート１４は、複数の穴を有する。取付け板は、フェースプレート１４より後方に設けられる板である。取付け板は、フェースプレート１４の後面に対向する。
【００３１】
インジケーター１５は、エレベーター１の状態を表示する装置である。インジケーター１５は、例えば液晶ディスプレイである。インジケーター１５は、例えばかご操作盤１２の上端に設けられる。インジケーター１５は、フェースプレート１４の穴から前面に露出する。
【００３２】
複数の行先階ボタン１９の各々は、建築物の複数の階の各々に対応する。複数の行先階ボタン１９の各々は、当該行先階ボタン１９が対応する階を行先階とするかご呼びの登録の利用者による操作を受け付けるボタンである。複数の行先階ボタン１９の各々は、例えば円形状の押しボタンである。複数の行先階ボタン１９の各々は、取付け板に取り付けられる。複数の行先階ボタン１９の各々は、フェースプレート１４の穴から前面に露出する。複数の行先階ボタン１９の各々は、操作ボタン１３の例である。
【００３３】
扉開ボタン２０は、かご扉１１を開く操作を受け付けるボタンである。扉開ボタン２０は、例えば矩形状の押しボタンである。扉開ボタン２０は、取付け板に取り付けられる。扉開ボタン２０は、フェースプレート１４の穴から前面に露出する。扉開ボタン２０は、操作ボタン１３の例である。
【００３４】
扉閉ボタン２１は、かご扉１１を閉じる操作を受け付けるボタンである。扉閉ボタン２１は、例えば矩形状の押しボタンである。扉閉ボタン２１は、取付け板に取り付けられる。扉閉ボタン２１は、フェースプレート１４の穴から前面に露出する。扉閉ボタン２１は、操作ボタン１３の例である。
【００３５】
通話ボタン２２は、例えば非常時などにおいて利用者によるかご７の外部との通話の開始の操作を受け付けるボタンである。通話ボタン２２は、例えば矩形状の押しボタンである。通話ボタン２２の大きさは、扉開ボタン２０および扉閉ボタン２１の大きさより小さい。通話ボタン２２は、取付け板に取り付けられる。通話ボタン２２は、フェースプレート１４の穴から前面に露出する。通話ボタン２２は、操作ボタン１３の例である。
【００３６】
非常ボタン２３は、例えば異常な事態が発生したことを通報する操作を受け付けるボタンである。非常ボタン２３は、例えば円形状の押しボタンである。非常ボタン２３の大きさは、複数の行先階ボタン１９の各々の大きさより小さい。非常ボタン２３は、取付け板に取り付けられる。非常ボタン２３は、フェースプレート１４の穴から前面に露出する。非常ボタン２３は、操作ボタン１３の例である。
【００３７】
ボタン制御部１８は、かご操作盤１２の複数の操作ボタン１３の各々が受け付けた利用者の操作の情報を取得する部分である。ボタン制御部１８は、フェースプレート１４より後方に設けられる。ボタン制御部１８は、複数の操作ボタン１３の各々に電力を供給する出力基板を備える。ボタン制御部１８は、電力供給部の例である。
【００３８】
続いて、図４を用いてエレベーター１の操作ボタン１３の構成を説明する。
図４は、実施の形態１に係る操作ボタンの分解斜視図である。図４に示される操作ボタン１３は、例えば乗場呼びボタン１６として用いられる。図４において、紙面の上方向は、前方向をあらわす。
【００３９】
操作ボタン１３は、ボタンユニット２４と、ボタンキャップ２５と、アダプター２６と、を備える。
【００４０】
ボタンユニット２４は、ベース２７と、変位部２８と、検出部２９と、第１電線３０と、を備える。
【００４１】
ベース２７は、矩形状の部材である。ベース２７は、取付け部３１を四隅に有する。取付け部３１は、例えば前後に貫通するネジ穴である。ベース２７は、取付け部３１のネジ止めによって例えば取付け板に取り付けられる。
【００４２】
変位部２８は、矩形状の部材である。変位部２８は、ベース２７の前面において、例えば図示されないバネによって前後方向に変位可能に保持される。変位部２８は、第１接続部３２を有する。第１接続部３２は、例えば円環状のリブである。第１接続部３２は、例えば可視光を透過させる透明材料または半透明材料などで形成されてもよい。変位部２８は、複数の第１発光素子３３を有する。複数の第１発光素子３３の各々は、電力が供給されることによって可視光を発する素子である。複数の第１発光素子３３の各々は、例えばＬＥＤである。複数の第１発光素子３３の各々は、ボタンユニット２４の前面に設けられる。複数の第１発光素子３３の各々は、第１範囲Ｒ１に配置される。第１範囲Ｒ１は、ボタンユニット２４の前面から見たときの閉じた領域の範囲である。第１範囲Ｒ１は、例えば第１接続部３２の内側の範囲である。
【００４３】
検出部２９は、変位部２８の変位によって利用者の操作を検出する部分である。検出部２９は、例えばタクタイルスイッチである。検出部２９は、ベース２７の前面に設けられる。検出部２９は、変位部２８の後面に接する。
【００４４】
第１電線３０は、複数の第１発光素子３３の各々を発光させる電力を、複数の第１発光素子３３の各々に供給する電線である。
【００４５】
ボタンキャップ２５は、矩形状の部材である。ボタンキャップ２５は、例えば可視光を透過させる透明材料または半透明材料などで形成される。ボタンキャップ２５は、可視光を透過させない文字または記号などの表示を表面の一部に有してもよい。ボタンキャップ２５の外寸は、ボタンユニット２４の外寸より大きい。例えばボタンキャップ２５の長辺は、ボタンユニット２４の長辺より長い。例えばボタンキャップ２５の短辺は、ボタンユニット２４の短辺より長い。ボタンキャップ２５は、前面に操作面Ｓを有する。操作面Ｓは、例えば押下などの操作ボタン１３に受け付けられる操作が利用者によって行われる面である。
【００４６】
アダプター２６は、ボタンキャップ２５をボタンユニット２４に取り付ける部材である。アダプター２６は、矩形状の部材である。アダプター２６は、第２接続部３４を有する。第２接続部３４は、背面に設けられる。第２接続部３４は、ボタンユニット２４の第１接続部３２に接続する部分である。第２接続部３４は、例えば可視光を透過させる透明材料または半透明材料などで形成されてもよい。第２接続部３４は、例えば爪状の部材が第１接続部３２に設けられる凹部に係り合うことによって接続される。第２接続部３４の内側は、前後に貫通する穴である。アダプター２６は、はめ込み部３５を有する。はめ込み部３５は、前面に設けられる。はめ込み部３５は、ボタンキャップ２５がはめ込まれる部分である。はめ込み部３５は、例えばアダプター２６の外周から前方に立ち上がる枠である。アダプター２６は、複数の第２発光素子３６と、第２電線３７と、を備える。
【００４７】
複数の第２発光素子３６の各々は、電力が供給されることによって可視光を発する素子である。複数の第２発光素子３６の各々は、例えばＬＥＤである。複数の第２発光素子３６の各々は、アダプター２６の前面に設けられる。複数の第２発光素子３６の各々は、第２範囲Ｒ２に配置される。第２範囲Ｒ２は、ボタンユニット２４の前面から見たときの第１範囲Ｒ１の外側の範囲である。第２範囲Ｒ２は、アダプター２６の前後に貫通する穴の外側の範囲である。複数の第２発光素子３６は、アダプター２６の前後に貫通する穴のまわりに配置される。
【００４８】
第２電線３７は、複数の第２発光素子３６の各々を発光させる電力を、複数の第２発光素子３６の各々に供給する電線である。
【００４９】
第１電線３０および第２電線３７は、合流部において合流する。合流した第１電線３０および第２電線３７は、例えばボタン制御部１８の出力基板に接続される。
【００５０】
引き続き図４を用いて、実施の形態１に係る操作ボタン１３および操作盤の動作の例を説明する。
【００５１】
複数の階のいずれかの乗場３において、利用者は、乗場操作盤９の例えば上昇ボタンである乗場呼びボタン１６を操作する。利用者は、操作ボタン１３である乗場呼びボタン１６の操作面Ｓを前面から押下する。
【００５２】
操作面Ｓが押下される操作ボタン１３のボタンキャップ２５は、アダプター２６および変位部２８とともに、バネの弾性力に抗しながら後方向に変位する。変位部２８は、後方向に変位することによって後面で検出部２９を押す。検出部２９は、後方向に変位した変位部２８に押されることによって、利用者の操作を検出する。利用者の操作を検出した操作ボタン１３である乗場呼びボタン１６は、ボタン制御部１８に利用者の操作を検出した信号を出力する。
【００５３】
乗場操作盤９のボタン制御部１８は、検出された利用者の操作の情報を制御盤１０に送信する。この例において、ボタン制御部１８は、上方へ向かうかご７に対する乗場呼びの情報を制御盤１０に送信する。ボタン制御部１８は、出力基板を通じて、利用者の操作が検出された操作ボタン１３の合流された第１電線３０および第２電線３７に電力を供給する。
【００５４】
第１電線３０は、複数の第１発光素子３３の各々に電力を供給する。複数の第１発光素子３３の各々は、可視光を発する。第２電線３７は、複数の第２発光素子３６の各々に電力を供給する。複数の第２発光素子３６の各々は、可視光を発する。複数の第１発光素子３３および複数の第２発光素子３６から発せられた可視光は、ボタンキャップ２５を透過する。これにより、利用者の操作が検出された操作ボタン１３は点灯する。
【００５５】
利用者は、操作ボタン１３の点灯によって操作が受け付けられたことを確認する。
【００５６】
制御盤１０は、受信した利用者の操作の情報に基づいて、エレベーター１の動作を制御する。この例において、制御盤１０は、上方へ向かうかご７を乗場呼びが登録された階に走行させる。
【００５７】
続いて、図５を用いてエレベーター１の他の操作ボタン１３の構成を説明する。
図５は、実施の形態１に係る操作ボタンの分解斜視図である。図５に示される操作ボタン１３は、例えば行先階ボタン１９として用いられる。図５において、紙面の上方向は、前方向をあらわす。
【００５８】
操作ボタン１３は、ボタンユニット２４と、ボタンキャップ２５と、アダプター２６と、を備える。
【００５９】
図５に示すボタンユニット２４の構成は、図４に示すボタンユニット２４の構成と同一である。
【００６０】
ボタンキャップ２５は、円形状の部材である。ボタンキャップ２５は、例えば可視光を透過させる透明材料または半透明材料などで形成される。ボタンキャップ２５は、可視光を透過させない文字または記号などの表示を表面の一部に有してもよい。ボタンキャップ２５の外寸は、ボタンユニット２４の外寸より大きい。例えばボタンキャップ２５の直径は、ボタンユニット２４の長辺より長い。ボタンキャップ２５は、前面に操作面Ｓを有する。
【００６１】
アダプター２６は、ボタンキャップ２５をボタンユニット２４に取り付ける部材である。アダプター２６は、円形状の部材である。アダプター２６は、第２接続部３４を有する。第２接続部３４は、背面に設けられる。第２接続部３４は、ボタンユニット２４の第１接続部３２に接続する部分である。第２接続部３４は、例えば可視光を透過させる透明材料または半透明材料などで形成されてもよい。第２接続部３４は、例えば爪状の部材が第１接続部３２に設けられる凹部に係り合うことによって接続される。第２接続部３４の内側は、前後に貫通する穴である。アダプター２６は、はめ込み部３５を有する。はめ込み部３５は、前面に設けられる。はめ込み部３５は、ボタンキャップ２５をはめ込む部分である。はめ込み部３５は、例えばアダプター２６の外周から前方に立ち上がる枠である。アダプター２６は、複数の第２発光素子３６と、第２電線３７と、を備える。
【００６２】
複数の第２発光素子３６の各々は、電力が供給されることによって可視光を発する素子である。複数の第２発光素子３６の各々は、例えばＬＥＤである。複数の第２発光素子３６の各々は、アダプター２６の前面に設けられる。複数の第２発光素子３６の各々は、第２範囲Ｒ２に配置される。第２範囲Ｒ２は、ボタンユニット２４の前面から見たときに第１範囲Ｒ１の外側の範囲である。第２範囲Ｒ２は、アダプター２６の前後に貫通する穴の外側の範囲である。複数の第２発光素子３６は、アダプター２６の前後に貫通する穴のまわりに環状に配置される。
【００６３】
第２電線３７は、複数の第２発光素子３６の各々を発光させる電力を、複数の第２発光素子３６の各々に供給する電線である。
【００６４】
第１電線３０および第２電線３７は、ボタン制御部１８の出力基板に独立に接続される。
【００６５】
引き続き図５を用いて、実施の形態１に係る操作ボタン１３および操作盤の動作の例を説明する。
【００６６】
かご操作盤１２のボタン制御部１８は、制御盤１０から利用可能階の情報を取得する。ボタン制御部１８は、操作ボタン１３である行先階ボタン１９のうち利用可能階に対応する行先階ボタン１９の第２電線３７に電力を供給する。
【００６７】
第２電線３７は、複数の第２発光素子３６の各々に電力を供給する。複数の第２発光素子３６の各々は、可視光を発する。複数の第２発光素子３６から発せられた可視光は、ボタンキャップ２５を透過する。これにより、利用者の操作が検出された操作ボタン１３の第２範囲Ｒ２は点灯する。
【００６８】
利用者は、停止したかご７に乗場３から乗車する。利用者は、行先階ボタン１９の第２範囲Ｒ２の点灯によって利用可能階を確認する。利用者は、利用可能階の中から行先階を選択する。利用者は、選択した行先階に対応する行先階ボタン１９を操作する。利用者は、操作ボタン１３である行先階ボタン１９の操作面Ｓを前面から押下する。
【００６９】
操作面Ｓが押下される操作ボタン１３のボタンキャップ２５は、アダプター２６および変位部２８とともに、バネの弾性力に抗しながら後方向に変位する。変位部２８は、後方向に変位することによって後面で検出部２９を押す。検出部２９は、後方向に変位した変位部２８に押されることによって、利用者の操作を検出する。利用者の操作を検出した操作ボタン１３である行先階ボタン１９は、ボタン制御部１８に利用者の操作を検出した信号を出力する。
【００７０】
ボタン制御部１８は、検出された利用者の操作の情報を制御盤１０に送信する。この例において、かご操作盤１２のボタン制御部１８は、利用者に選択された行先階へのかご呼びの情報を制御盤１０に送信する。ボタン制御部１８は、出力基板を通じて、利用者の操作が検出された操作ボタン１３の第１電線３０に電力を供給する。このとき、ボタン制御部１８は、当該操作ボタン１３の第２電線３７への電力の供給を継続している。
【００７１】
第１電線３０は、複数の第１発光素子３３の各々に電力を供給する。複数の第１発光素子３３の各々は、可視光を発する。複数の第２発光素子３６の各々は、継続して可視光を発している。複数の第１発光素子３３および複数の第２発光素子３６から発せられた可視光は、ボタンキャップ２５を透過する。これにより、利用者の操作が検出された操作ボタン１３の第１範囲Ｒ１および第２範囲Ｒ２は点灯する。
【００７２】
利用者は、操作ボタン１３の第１範囲Ｒ１および第２範囲Ｒ２の点灯によって操作が受け付けられたことを確認する。
【００７３】
以上に説明したように、実施の形態１に係る操作盤は、複数の操作ボタン１３を備える。複数の操作ボタン１３の各々は、ボタンユニット２４と、ボタンキャップ２５と、アダプター２６と、を備える。ボタンユニット２４は、可視光を発する第１発光素子３３を前面の第１範囲Ｒ１に有する。ボタンユニット２４は、利用者の操作を検出する。ボタンキャップ２５は、可視光を透過させる。ボタンキャップ２５は、前面に操作面Ｓを有する。アダプター２６は、ボタンユニット２４の前面に取り付けられる。ボタンキャップ２５は、アダプター２６の前面に取り付けられる。アダプター２６は、可視光を発する第２発光素子３６を前面の第１範囲Ｒ１の外側に有する。
【００７４】
また、複数の操作ボタン１３の各々のボタンユニット２４は、互いに同一の種類の部品である。複数の操作ボタン１３のうちの少なくともいずれかの組合せのアダプター２６は、互いに異なる種類の部品である。
【００７５】
ボタンキャップ２５の操作面Ｓのうち第１範囲Ｒ１に対応する範囲は、第１発光素子３３によって照らされる。ボタンキャップ２５の操作面Ｓのうち第２範囲Ｒ２に対応する範囲は、第２発光素子３６によって照らされる。すなわち、操作面Ｓの面積を広くした場合においても、第１発光素子３３および第２発光素子３６の両方が操作面Ｓの全域を直接照らすことによって、操作面Ｓの明るさが低下しない。これにより、操作の結果の視認性の低下を防ぎながら操作面Ｓの面積および形状の自由度が高められる。
【００７６】
アダプター２６は、ボタンユニット２４と異なる面積または形状のボタンキャップ２５を、ボタンユニット２４に取付けられるようにする。これにより、取付け板への取り付け構造を変えることなく、操作ボタン１３の操作面Ｓの面積または形状の自由度が高くなる。また、ボタンユニット２４は、操作ボタン１３の操作面Ｓの面積または形状によらずに共通化される。このため、部品の管理がしやすくなる。
【００７７】
また、アダプター２６は、第２発光素子３６をボタンユニット２４の外周より外側に有する。これにより、ボタンユニット２４の外側に広がるボタンキャップ２５であっても、操作面Ｓの明るさが低下しない。
【００７８】
また、ボタンユニット２４は、変位部２８と、検出部２９と、を備える。変位部２８は、操作面Ｓに連動して前後に変位する。検出部２９は、変位部２８の変位によって利用者の操作を検出する。また、アダプター２６は、変位部２８に連動して前後に変位する。
【００７９】
これにより、可動部である変位部２８を有するボタンユニット２４が共通化される。このため、可動部に故障が発生した場合の交換部品が共通化される。したがって、エレベーターの操作盤の保守性が向上する。
【００８０】
また、ボタンユニット２４は、第１発光素子３３を発光させる電力を例えばボタン制御部１８から供給する第１電線３０を備える。アダプター２６は、第２発光素子３６を発光させる電力を例えばボタン制御部１８から供給する第２電線３７を備える。第１電線３０および第２電線３７は、合流して例えばボタン制御部１８に接続される。
【００８１】
これにより、ボタン制御部１８は、操作ボタン１３にアダプター２６が取り付けられているか否かに関わらず、同じ電気信号で操作ボタン１３の点灯をすることができる。このため、ボタン制御部１８による操作ボタン１３の点灯の制御が簡単になる。
【００８２】
また、ボタンユニット２４は、第１発光素子３３を発光させる電力をボタン制御部１８から供給する第１電線３０を備える。アダプター２６は、第２発光素子３６を発光させる電力をボタン制御部１８から供給する第２電線３７を備える。第１電線３０および第２電線３７は、互いに独立にボタン制御部１８に接続される。
【００８３】
また、操作盤は、ボタン制御部１８を備える。複数の操作ボタン１３の少なくともいずれかは、当該操作ボタン１３の対応する行先階への呼びの登録の操作を検出する行先階ボタン１９である。行先階が利用可能であるときに、ボタン制御部１８は、行先階に対応する操作ボタン１３の第１発光素子３３または第２発光素子３６の一方に電力を供給して発光させる。行先階への呼びが登録されているときに、ボタン制御部１８は、当該行先階に対応する操作ボタン１３の第１発光素子３３または第２発光素子３６の両方に電力を供給して発光させる。
【００８４】
これにより、ボタン制御部１８は、操作ボタン１３を２段階で点灯させることができる。このため、操作盤は、利用者により多くの情報を提供できる。操作盤は、例えば、利用者に対して操作の受理の有無と、行先階の利用可否と、の情報を提供できる。これにより、利用者の利便性が向上する。
【００８５】
なお、ボタンユニット２４は、利用者が操作面Ｓに接触することによって当該利用者の操作を検出するタッチボタンであってもよい。
【００８６】
また、第１接続部３２および第２接続部３４は、側面に切られたネジによって接続されてもよい。第１接続部３２および第２接続部３４は、接着剤によって接続されてもよい。
【産業上の利用可能性】
【００８７】
本発明に係る操作ボタンおよび操作盤は、エレベーターに適用できる。
【符号の説明】
【００８８】
１  エレベーター、  ２  昇降路、  ３  乗場、  ４  乗場扉、  ５  巻上機、  ６  主ロープ、  ７  かご、  ８  釣合い重り、  ９  乗場操作盤、  １０  制御盤、  １１  かご扉、  １２  かご操作盤、  １３  操作ボタン、  １４  フェースプレート、  １５  インジケーター、  １６  乗場呼びボタン、  １７  車椅子乗場呼びボタン、  １８  ボタン制御部、  １９  行先階ボタン、  ２０  扉開ボタン、  ２１  扉閉ボタン、  ２２  通話ボタン、  ２３  非常ボタン、  ２４  ボタンユニット、  ２５  ボタンキャップ、  ２６  アダプター、  ２７  ベース、  ２８  変位部、  ２９  検出部、  ３０  第１電線、  ３１  取付け部、  ３２  第１接続部、  ３３  第１発光素子、  ３４  第２接続部、  ３５  はめ込み部、  ３６  第２発光素子、  ３７  第２電線、  Ｓ  操作面、  Ｒ１  第１範囲、  Ｒ２  第２範囲
【図１】
2020084743.tif 000003
【図２】
2020084743.tif 000004
【図３】
2020084743.tif 000005
【図４】
2020084743.tif 000006
【図５】
2020084743.tif 000007
【国際調査報告】
2020084743.tif 000008
2020084743.tif 000009
2020084743.tif 000010
2020084743.tif 000011